(57)【要約】【課題】  光学式ピックアップによりディスクに信号を記録することが出来る光ディスク記録再生装置のチルト調整回路を提供する。【解決手段】  光学式ピックアップ３に組み込まれている光検出器５から得られる信号から生成されるフォーカスエラー信号に基づいてフォーカスサーボ動作を行うフォーカスサーボ回路１０と、該フォーカスサーボ回路１０から出力されるフォーカス制御信号が入力されるとともにディスクの回転周期に対応した信号を抽出するバンドパスフィルター回路１４と、該バンドパスフィルター回路１４にて抽出された信号のレベルを調整するチルト信号調整回路１８と、光学式ピックアップを光ディスク記録再生装置に組み込んだとき、ディスク面と対物レンズとの間の角度ズレを補正するオフセット信号を出力するオフセット調整回路２０とより構成されている。【選択図】    図１
2005322322.tif 000002
【特許請求の範囲】
【請求項１】
ディスクと対物レンズとの相対的な角度ズレを補正するチルト調整用コイルが組み込まれている光学式ピックアップを使用する光ディスク記録再生装置のチルト調整回路であり、光学式ピックアップに組み込まれている光検出器から得られる信号から生成されるフォーカスエラー信号に基づいてフォーカスサーボ動作を行うフォーカスサーボ回路と、該フォーカスサーボ回路から出力されるフォーカス制御信号が入力されるとともにディスクの回転周期に対応した信号を抽出するバンドパスフィルター回路と、該バンドパスフィルター回路にて抽出された信号のレベルを調整するチルト信号調整回路と、光学式ピックアップを光ディスク記録再生装置に組み込んだとき、ディスク面と対物レンズとの間の角度ズレを補正するオフセット信号を出力するオフセット調整回路とより成り、前記チルト信号調整回路より出力されるチルト調整信号と前記オフセット調整回路より出力されるオフセット信号とを加算した信号に基づいて生成される駆動信号をチルト調整用コイルに供給することによってチルト調整を行うようにしたことを特徴とする光ディスク記録再生装置のチルト調整回路。
【請求項２】
バンドパスフィルター回路のフィルター特性をディスクの回転速度に対応させて変更するようにしたことを特徴とする請求項１に記載のチルト調整回路。
【発明の詳細な説明】
【技術分野】
【０００１】
本発明は、光学式ピックアップより照射されるレーザー光によってディスクに信号を記録するように構成された光ディスク記録再生装置のチルト調整回路に関する。
【背景技術】
【０００２】
光学式ピックアップを用いてディスクに記録されている信号の読み出し動作を行う光ディスク再生装置が普及しているが、再生機能に加えて光学式ピックアップより照射されるレーザ光によってディスクに信号を記録することが出来るように構成された光ディスク記録再生装置が商品化されている。
【０００３】
光ディスク記録再生装置では、光学式ピックアップより照射されるレーザー光をディスク面の信号トラックに対して正確に照射する必要があり、レーザー光を信号面に合焦させるフォーカス制御動作及び信号トラックに追従させるトラッキング制御動作を行うように構成されている。斯かるフォーカス制御動作は、光学式ピックアップに組み込まれている対物レンズをディスク面に対して直角方向へ変位させるフォーカシングコイルに駆動電流を供給することによって行われ、トラッキング制御動作は対物レンズをディスクの径方向へ変位させるトラッキングコイルに駆動電流を供給することにより行われる。
【０００４】
最近では、ディスクに多くの信号を記録するために信号の高密度化が行われており、信号の記録動作を正確に行うためには、光学式ピックアップから照射されるレーザー光を最適な状態にてディスク面に照射することが要求されている。斯かる動作を行うために、ディスクと対物レンズとの相対的な角度ズレを補正する動作、即ちチルトと呼ばれる角度調整動作を行うことが出来るように構成された光学式ピックアップが開発されている(例えば、特許文献１参照。)。
【特許文献１】特開２００２−１９７６９８号公報
【発明の開示】
【発明が解決しようとする課題】
【０００５】
光ディスク記録再生装置では、前述した特許文献に記載されているような光学式ピックアップを使用することによってレーザー光をディスクに対して最適な状態にて照射させるための制御動作を行うように構成されているが、ディスクの回転特性による影響を受けてチルト調整動作を正確に行うことが出来ないという問題があった。
【０００６】
本発明は、斯かる問題を解決することが出来る光ディスク記録再生装置のチルト調整回路を提供しようとするものである。
【課題を解決するための手段】
【０００７】
本発明は、光学式ピックアップに組み込まれている光検出器から得られる信号から生成されるフォーカスエラー信号に基づいてフォーカスサーボ動作を行うフォーカスサーボ回路と、該フォーカスサーボ回路から出力されるフォーカス制御信号が入力されるとともにディスクの回転周期に対応した信号を抽出するバンドパスフィルター回路と、該バンドパスフィルター回路にて抽出された信号のレベルを調整するチルト信号調整回路と、光学式ピックアップを光ディスク記録再生装置に組み込んだとき、ディスク面と対物レンズとの間の角度ズレを補正するオフセット信号を出力するオフセット調整回路とより成り、前記チルト信号調整回路より出力されるチルト調整信号と前記オフセット調整回路より出力されるオフセット信号とを加算した信号に基づいて生成される駆動信号をチルト調整用コイ
ルに供給することによってチルト調整を行うように構成されている。
【０００８】
また、本発明は、バンドパスフィルター回路のフィルター特性をディスクの回転速度に対応させて変更するように構成されている。
【発明の効果】
【０００９】
本発明は、光学式ピックアップに組み込まれている光検出器から得られる信号から生成されるフォーカスエラー信号に基づいてフォーカスサーボ動作を行うフォーカスサーボ回路と、該フォーカスサーボ回路から出力されるフォーカス制御信号が入力されるとともにディスクの回転周期に対応した信号を抽出するバンドパスフィルター回路と、該バンドパスフィルター回路にて抽出された信号のレベルを調整するチルト信号調整回路と、光学式ピックアップを光ディスク記録再生装置に組み込んだとき、ディスク面と対物レンズとの間の角度ズレを補正するオフセット信号を出力するオフセット調整回路とを設け、前記チルト信号調整回路より出力されるチルト調整信号と前記オフセット調整回路より出力されるオフセット信号とを加算した信号に基づいて生成される駆動信号をチルト調整用コイルに供給することによってチルト調整を行うようにしたので、ディスクの面ブレに対応したチルト調整動作を行うことが出来る。
【００１０】
また、本発明は、バンドパスフィルター回路のフィルター特性をディスクの回転速度に対応させて変更するようにしたので、複数の回転速度による記録再生動作を行うことが出来る光ディスク記録再生装置は勿論、線速度が一定の状態にてディスクの回転駆動動作が行われる光ディスク記録再生装置のようにディスクの内周側と外周側とでディスクの回転数が変更される場合にディスク上の各位置に対応する各速度に適したチルト調整動作を行うことが出来る。
【発明を実施するための最良の形態】
【００１１】
本発明は、ディスクの回転に伴って抽出される回転周期に基づく信号を利用してチルト調整動作を行うように構成されている。
【実施例】
【００１２】
図１は本発明の光ディスク記録再生装置の一実施例を示す回路図、図２及び図３は本発明の動作を説明するための波形図である。
【００１３】
図１において、１はスピンドルモーター２によって回転駆動されるディスク、３はディスク１に記録されている信号の再生動作及び該ディスク１への信号の記録動作を行う光学式ピックアップであり、ディスク１に照射されるレーザー光を放射するレーザーダイオード４及び該レーザーダイオードより照射される光のレベルをモニターするモニター用ダイオード(図示せず)が組み込まれているとともにディスク１の信号面より反射されるレーザー光を受ける光検出器５が組み込まれている。
【００１４】
また、前記光学式ピックアップ３には、対物レンズ(図示せず)をディスク面に対して直角方向へ変位させるフォーカシングコイル６、対物レンズをディスク１の径方向に変位させるトラッキングコイル７及び対物レンズのディスク１に対する角度を調整するチルト調整用コイル８が組み込まれている。
【００１５】
９は前記光学式ピックアップ３に組み込まれている光検出器５から得られる信号が入力される光出力信号処理回路であり、フォーカスエラー信号、トラッキングエラー信号及びディスク１に記録されている信号を再生した再生信号を生成するように構成されている。１０は前記光出力信号処理回路９より生成されるフォーカスエラー信号に基づいてフォーカスサーボ動作を行うフォーカスサーボ回路であり、フォーカス制御信号を出力するよう
に構成されている。１１は前記光出力信号処理回路９より生成されるトラッキングエラー信号に基づいてトラッキングサーボ動作を行うトラッキングサーボ回路であり、トラッキング制御信号を出力するように構成されている。
【００１６】
１２は前記フォーカスサーボ回路１０より出力されるフォーカス制御信号が入力されるフォーカスコイル駆動回路であり、前記光学式ピックアップ３に組み込まれているフォーカシングコイル６に駆動信号を供給するように構成されている。１３は前記トラッキングサーボ回路１１より出力されるトラッキング制御信号が入力されるトラッキングコイル駆動回路であり、前記光学式ピックアップ３に組み込まれているトラッキングコイル７に駆動信号を供給するように構成されている。
【００１７】
１４は前記フォーカスサーボ回路１０から出力されるフォーカス制御信号が入力される第１バンドパスフィルター回路であり、該フォーカス制御信号の中からディスク１の回転周期に対応して変化する信号を抽出する作用を有している。即ち、前記フォーカスサーボ回路１０から出力されるフォーカス制御信号は、ディスク１の信号面が上下方向に変位することに起因して光検出器５から得られる信号に基づいて生成されるフォーカスエラー信号のレベルを抑える方向に対物レンズを変位させるように生成されるが、斯かる制御信号にはディスク１の回転周期に基づく信号が含まれている。斯かるディスク１の回転周期に基づく信号を前記第１バンドパスフィルター回路１４は抽出するものであり、図２に示すような信号、即ちディスク１の回転周期に応じてレベルが変化する信号となる。
【００１８】
１５は前記トラッキングサーボ回路１１から出力されるトラッキング制御信号が入力される第２バンドパスフィルター回路であり、該トラッキング制御信号の中からディスク１の回転周期に対応して変化する信号を抽出する作用を有している。即ち、前記トラッキングサーボ回路１１から出力されるトラッキング制御信号は、ディスク１の偏心に起因して光検出器５から得られる信号に基づいて生成されるトラッキングエラー信号のレベルを抑える方向に対物レンズを変位させるように生成されるが、斯かる制御信号にはディスク１の回転周期に基づく信号が含まれている。斯かるディスク１の回転周期に基づく信号を前記第２バンドパスフィルター回路１５は抽出するものであり、図３に示すような信号、即ちディスク１の回転周期に応じてレベルが変化する信号となる。
【００１９】
１６は前記スピンドルモーター２を回転駆動するスピンドルモーター駆動回路であり、ディスク１に記録されている同期信号を利用して線速度が一定になるように制御するように構成されている。１７は前記スピンドルモーター駆動回路１６によるスピンドルモーター２の回転駆動動作に基づいて生成される回転周期に応じて前記第１バンドパスフィルター回路１４及び第２バンドパスフィルター回路１５のフィルター特性を変更するフィルター特性変更回路である。即ち、ディスク１の回転速度が変更されると回転周期が変化するため、図２及び図３にて示す信号の周波数が回転速度に対応して変化することになるので、その周波数の信号を正確に抽出するためにバンドパス周波数を変更するように構成されている。
【００２０】
１８は前記第１バンドパスフィルター回路１４からディスク１の回転周期に応じて出力される抽出信号が入力されるとともに該抽出信号のレベルに応じたチルト調整用信号を出力する第１チルト信号調整回路である。斯かる第１チルト信号調整回路１８より出力されるチルト調整用信号は、光学式ピックアップ３に組み込まれているチルト調整用コイル８に供給される駆動信号のレベルと対物レンズの変更角度の大きさに基づいて設定されている。即ち、第１バンドパスフィルター１４から得られる抽出信号のレベルを零にするべく対物レンズを傾けるために必要なレベルの信号をチルト調整用信号として出力するように設定されている。
【００２１】
１９は前記第２バンドパスフィルター回路１５からディスク１の回転周期に応じて出力される抽出信号が入力されるとともに該抽出信号のレベルに応じたチルト調整用信号を出力する第２チルト信号調整回路である。斯かる第２チルト信号調整回路１９より出力されるチルト調整用信号は、光学式ピックアップ３に組み込まれているチルト調整用コイル８に供給される駆動信号のレベルと対物レンズの変更角度の大きさに基づいて設定されている。即ち、第２バンドパスフィルター１５から得られる抽出信号のレベルを零にするべく対物レンズを傾けるために必要なレベルの信号をチルト調整用信号として出力するように設定されている。
【００２２】
２０は光学式ピックアップ３を光ディスク記録再生装置に組み込んだ製造時において、調整用の基準ディスクに対する対物レンズの角度ズレを補正するために測定設定されたオフセット値が記憶されているとともにその記憶されたオフセット値に基づくオフセット信号を出力するオフセット調整回路である。
【００２３】
２１は前記第１チルト信号調整回路１８から出力されるチルト調整用信号、前記第２チルト信号調整回路１９より出力されるチルト調整用信号及びオフセット調整回路２０から出力されるオフセット信号を加算する加算回路、２２は前記加算回路２１による信号の加算動作により得られるチルト制御信号が入力されるチルトコイル駆動回路であり、光学式ピックアップ３に組み込まれているチルト調整用コイル８に前記チルト制御信号に基づいて生成される駆動信号を供給するように構成されている。
【００２４】
以上に説明したように本発明に係る光ディスク記録再生装置は構成されているが、次に動作について説明する。
【００２５】
光ディスク記録再生装置にディスクを装着した後再生動作又は記録動作を行うための操作を行うと、各種の制御動作が行われて再生動作又は記録動作を行う状態になる。斯かる状態にあるとき、スピンドルモーター駆動回路１６による制御動作が行われてスピンドルモーター２の回転駆動動作が行われるが、斯かる動作はディスク１より読み出される同期信号を利用し、ディスク１の回転動作が線速度一定になるように行われる。斯かる線速度を一定にするための駆動制御動作は周知であるので、その説明は省略する。
【００２６】
各動作状態では、光学式ピックアップ３に組み込まれているレーザーダイオード４に各動作を行うために必要なレーザー光を照射させる駆動電流がレーザーダイオード駆動回路(図示せず)から供給される。レーザーダイオード４からディスク１の信号面に照射されたレーザー光は、信号面から反射されて光検出器５に照射される。前記光検出器５に反射光が照射されると、該光検出器５を構成する４分割センサーの各センサー部から得られる信号が光出力信号処理回路９に入力される。斯かる４分割センサーより構成される光検出器５は、周知であるのでその説明は省略する。
【００２７】
前記光検出器５から得られる信号が光出力信号処理回路９に入力されると、該光出力信号処理回路９による信号処理動作が行われ、フォーカスエラー信号、トラッキングエラー信号及び再生信号が生成される。前記光出力信号処理回路９から出力されるフォーカスエラー信号は、フォーカスサーボ回路１０に入力され、トラッキングエラー信号は、トラッキングサーボ回路１１に入力され、再生信号は図示しないデジタル信号処理回路に入力される。
【００２８】
前記光出力信号処理回路９から出力されるフォーカスエラー信号がフォーカスサーボ回路１０に入力されると、該フォーカスサーボ回路１０によるサーボ動作が周知のように行われ、フォーカス制御信号がフォーカスコイル駆動回路１２に対して出力される。前記フォーカスサーボ回路１０より出力されるフォーカス制御信号がフォーカスコイル駆動回路
１２に入力されると、その制御信号に応じた駆動信号がフォーカシングコイル６に供給される。その結果、フォーカシングコイル６に駆動信号が供給されることにより発生する励磁力により対物レンズがディスク１の信号面に対して直角方向に変位せしめられる。そして、斯かる対物レンズの変位方向は、フォーカスエラー信号のレベルを低下させる方向に行われるため、レーザー光を信号面に合焦させる動作、即ち、フォーカスサーボ動作を行うことが出来る。
【００２９】
また、前記光出力信号処理回路９から出力されるトラッキングエラー信号がトラッキングサーボ回路１１に入力されると、該トラッキングサーボ回路１１によるサーボ動作が周知のように行われ、トラッキング制御信号がトラッキングコイル駆動回路１３に対して出力される。前記トラッキングサーボ回路１１より出力されるトラッキング制御信号がトラッキングコイル駆動回路１３に入力されると、その制御信号に応じた駆動信号がトラッキングコイル７に供給される。その結果、トラッキングコイル７に駆動信号が供給されることにより発生する励磁力により対物レンズがディスク１の径方向に変位せしめられる。そして、斯かる対物レンズの変位方向は、トラッキングエラー信号のレベルを低下させる方向に行われるため、レーザー光を信号トラックに追従させる動作、即ち、トラッキングサーボ動作を行うことが出来る。
【００３０】
前述したように本実施例におけるフォーカスサーボ動作及びトラッキングサーボ動作は行われるが、次に本発明の要旨であるチルト調整動作について説明する。
【００３１】
前述した動作が行われているとき、フォーカスサーボ回路１０より出力されるフォーカス制御信号が第１バンドパスフィルター回路１４に入力された状態にある。斯かる状態にあるとき、スピンドルモーター駆動回路１６から得られる信号から回転周期を測定し、その回転周期に基づく信号を抽出するべく第１バンドパスフィルター回路１４のフィルター特性を変更させる動作をフィルター特性変更回路１７が行う。例えば、ディスク１の回転速度が２０００回転／分の場合には、回転動作に伴って発生する周波数は約３３Ｈｚとなるため、この３３Ｈｚの信号を抽出させるフィルター特性になるように第１バンドパスフィルター回路１４のフィルター特性は設定される。
【００３２】
前記第１バンドパスフィルター回路１４のフィルター特性が前述したように設定される結果、図２に示すようなディスク１の回転速度に応じた信号が第１バンドパスフィルター回路１４によって抽出され、抽出信号として出力されることになる。このようにして第１バンドパスフィルター回路１４から出力される抽出信号は、ディスク１の回転に伴ってディスク１が上下方向にぶれることによって得られる信号であり、ブレの大きさが大きくなるに従って振幅レベルが大きくなる。
【００３３】
このようにして得られる抽出信号が第１チルト信号調整回路１８に入力される結果、該第１チルト信号調整回路１８は、入力される抽出信号のレベルに応じたレベルのチルト調整用信号を出力する。
【００３４】
前述した動作が行われているとき、トラッキングサーボ回路１１より出力されるトラッキング制御信号が第２バンドパスフィルター回路１５に入力された状態にある。斯かる状態にあるとき、スピンドルモーター駆動回路１６から得られる信号から回転周期を測定し、その回転周期に基づく信号を抽出するべく第２バンドパスフィルター回路１５のフィルター特性を変更させる動作をフィルター特性変更回路１７が行う。例えば、ディスク１の回転速度が２０００回転／分の場合には、回転動作に伴って発生する周波数は約３３Ｈｚとなるため、この３３Ｈｚの信号を抽出させるフィルター特性になるように第２バンドパスフィルター回路１５のフィルター特性は設定される。
【００３５】
前記第２バンドパスフィルター回路１５のフィルター特性が前述したように設定される結果、図３に示すようなディスク１の回転速度に応じた信号が第２バンドパスフィルター回路１５によって抽出され、抽出信号として出力されることになる。このようにして第２バンドパスフィルター回路１５から出力される抽出信号は、ディスク１の偏心回転に伴ってディスク１が径方向にぶれることによって得られる信号であり、ブレの大きさが大きくなるに従って振幅レベルが大きくなる。
【００３６】
このようにして得られる抽出信号が第２チルト信号調整回路１９に入力される結果、該第２チルト信号調整回路１９は、入力される抽出信号のレベルに応じたレベルのチルト調整用信号を出力する。
【００３７】
また、前述した動作が行われているとき、前記オフセット調整回路２０から光学式ピックアップ３に組み込まれている対物レンズのディスク１に対する偏倚であるオフセットを補正するために設定されているオフセット信号を出力した状態にあり、斯かるオフセット信号信号が前記第１チルト信号調整回路１８及び第２チルト信号調整回路１９から出力されるチルト調整用信号と共に加算回路２１に印加される。斯かる動作が行われる結果、前記加算回路２１による各信号を加算する動作が行われ、その加算された信号であるチルト制御信号がチルトコイル駆動回路２２に入力される。
【００３８】
チルト制御信号がチルトコイル駆動回路２２に入力されると、そのチルト制御信号のレベルに応じた駆動信号がチルト調整用コイル８に供給される。斯かる駆動信号がチルト調整用コイル８に供給されると、該チルト調整用コイル８に駆動信号が供給されることにより発生する励磁力によって対物レンズの傾きが変更される。斯かる動作によって対物レンズの傾きが変更されるが、斯かる変更動作は第1バンドパスフィルター回路１４及び第２バンドパスフィルター回路１５から出力される抽出信号のレベルを低くする方向に対して行われる。
【００３９】
チルト調整用コイル８に抽出信号のレベルを低下させる方向、即ち対物レンズのディスク１に対する角度を良好にする方向に変更する駆動信号が供給される結果、ディスク１に対する光学式ピックアップ３の角度を最適な位置に保持することが出来る。従って、ディスク１に記録されている信号の再生動作や該ディスク１への信号の記録動作を正確に行うことが出来る。
【００４０】
本実施例において、フィルター特性変更回路１７による第１バンドパスフィルター回路１４及び第２バンドパスフィルター回路１５のフィルター特性の変更動作は、ディスク１の回転速度に応じて行われるので、線速度一定にて回転駆動するように構成された光ディスク記録再生装置は勿論のこと、規定の線速度に対して高速の線速度によりディスク１を回転駆動するように構成された光ディスク記録再生装置に対しても実施することも可能である。
【００４１】
また、本実施例では、フォーカスサーボ回路１０から得られるフォーカス制御信号とトラッキングサーボ回路１１から得られるトラッキング制御信号の両方の信号を利用してチルト調整動作を行うようにしたが、一方の信号のみを利用してチルト調整動作を行うようにしても十分なチルト特性を得ることは出来る。
【図面の簡単な説明】
【００４２】
【図１】本発明の光ディスク記録再生装置の一実施例を示す回路図である。
【図２】本発明の動作を説明するための波形図である。
【図３】本発明の動作を説明するための波形図である。
【符号の説明】
【００４３】
１        ディスク
２        スピンドルモーター
３        光学式ピックアップ
５        光検出器
６        フォーカシングコイル
７        トラッキングコイル
８        チルト調整用コイル
９        光出力信号処理回路
１０        フォーカスサーボ回路
１１        トラッキングサーボ回路
１２        フォーカスコイル駆動回路
１３        トラッキングコイル駆動回路
１４        第１バンドパスフィルター回路
１５        第２バンドパスフィルター回路
１６        スピンドルモーター駆動回路
１７        フィルター特性変更回路
１８        第１チルト信号調整回路
１９        第２チルト信号調整回路
２０        オフセット調整回路
２１        加算回路
２２        チルトコイル駆動回路
【図１】
2005322322.tif 000003
【図２】
2005322322.tif 000004
【図３】
2005322322.tif 000005